(57)【要約】【課題】単一の容器内に複数の飲料を充填し、好きな時間に、好きな飲料を選択して飲用でき、かつ握力や捻回力が弱い高齢者、小児、女性、入院患者、身障者等が、キャップ体を開栓することなく、容器本体に形成された、吸飲管で容器内の飲料を容易に吸飲できる、吸飲管付き飲料物用容器を提供する。【解決手段】容器本体１の上部開口１ａを閉塞する蓋部３と、仕切壁２によって形成された飲料収納部４及び５と、該飲料収納部の４及び５の各底部外周縁部４ａ及び５ａから、容器本体１の外周面１ｂに沿って上方に向けて立設した吸飲管６及び７とから構成され、仕切壁２は、容器本体１の底部１ｃの中央から垂直状に一体的に立設され、その頂部２ａは、蓋部３の底面３ａに密着している。【選択図】図１
0003140333.tif 000002
【実用新案登録請求の範囲】
【請求項１】
有底円筒状又は箱状の容器本体と、
前記容器本体内を分割し複数の飲料収納部を形成する仕切壁と、
前記容器本体の上部開口を閉塞する蓋部と、
前記各飲料収納部の底部外周縁部から、前記容器本体の外周面に沿って上方に向けて立設した円筒状の吸飲管と、
から構成されることを特徴とする、吸飲管付き飲料物用容器。
【請求項２】
前記容器本体の内周壁と仕切壁の側端部及び仕切壁の頂部と蓋部底面は密着されていることを特徴とする、請求項１記載の吸飲管付き飲料物用容器。
【請求項３】
前記吸飲管の長さは、少なくとも容器本体の底部から蓋部を超える長さに形成されていることを特徴とする、請求項１〜請求項２の何れかに記載の吸飲管付き飲料物用容器。
【請求項４】
前記吸飲管の上部には蛇腹部が形成されていることを特徴とする、請求項１〜請求項３の何れかに記載の吸飲管付き飲料物用容器。
【請求項５】
前記吸飲管の先端吸飲部は、蛇腹部で蓋部の上面に折り曲げられ、紙又は合成樹脂製シールで剥離可能に被覆、止着されていることを特徴とする、請求項１〜請求項４の何れかに記載の吸飲管付き飲料物用容器。
【請求項６】
前記各飲料収納部の外周面には、前記吸飲管を保持するための係止部が形成されていることを特徴とする、請求項１〜請求項５の何れかに記載の吸飲管付き飲料物用容器。
【請求項７】
前記各飲料収納部の蓋部には、空気流通用の小孔が穿設され、該小孔は前記紙又は合成樹脂製シールで剥離可能に被覆されていることを特徴とする、請求項１項〜請求項６の何れかに記載の吸飲管付き飲料物用容器。
【請求項８】
前記容器本体内又は各飲料収納部に収納される飲料の容量が、１５０ｍｌ〜２５０ｍｌであることを特徴とする、請求項１〜請求項７の何れかに記載の吸飲管付き飲料物用容器。
【請求項９】
前記容器本体の外周面及び蓋部の上面には、各飲料収納部内に充填されている飲料品名が表示されていることを特徴とする、請求項１〜請求項８の何れかに記載の吸飲管付き飲料物用容器。
【考案の詳細な説明】
【技術分野】
【０００１】
本考案は、吸飲管付き飲料物用容器に関し、より詳しくは、容器本体内を仕切壁によって分割された複数の収納部を形成し、各収納部にお茶、コーヒー、紅茶、各種の果実飲料又は清涼飲料水等を充填し、１〜複数人が好みの飲料を適宜選択して飲用することができ、かつ、握力や捻回力が弱い高齢者等が、キャップ体を開栓することなく、容器本体に形成された、吸飲管で容器内の飲料を容易に吸飲できる、吸飲管付き飲料物用容器に関する。
【背景技術】
【０００２】
近年、消費者の嗜好飲料が多様化してきている。各飲料メーカーは、多種類の飲料、例えば紅茶、コーヒー、煎茶、ウーロン茶等の茶類、牛乳、各種のジュース類、コーラ等の清涼飲料水等が、主に２００ミリリットル〜２リットル入りのポリエチレン・テレフタレート（Ｐｏｌｙｅｔｈｙｌｅｎｅ  Ｔｅｒｅｐｈｔｈａｌａｔｅ  Ｒｅｓｉｎ）樹脂からなる飲料物用容器いわゆる、ペットボトル又は紙製パック内に充填され、自動販売機、コンビニエンスストア又はスーパーマーケット等において販売されている。
【０００３】
上記の各飲料等は、それぞれ各飲料毎に単一の容器内に充填されて販売されている。しかし、近年における嗜好飲料についての傾向から、複数種の飲料が単一の容器内に充填されて販売されることを希望する多くの消費者の声がある。
【０００４】
上記のような消費者の要望に応えて、複数の飲料を一度に購入できるようにした、例えば「ボトル形飲料容器、箱形飲料容器、缶形飲料容器および容器入り飲料」（特開２００３−２５２３３５＝特許文献１）が提案されている。特許文献１は、複数種の飲料を一度に購入できる手段として、ボトル形飲料容器は、容器本体と、その内部を横並びに等分して区画Ｅｐと区画Ｅｑを形成する仕切り板と、区画Ｅ１の飲み口Ｍｐと区画Ｅｑの飲み口Ｍｑとを個別に開口し得る銀紙シールとを具備する。区画Ｅｐには例えば緑茶が充填され、区画Ｅ２には例えばコーヒーが充填される、構成としている。
【０００５】
また、実用新案登録第３０４８２２８号（特許文献２）の「液体容器」は、２種類以上の飲料ジュース等の液体を１個の容器内に収容して好ましい組合わせでの販売、購入を可能とすることを課題とし、その解決手段として、容器本体の内部が、その閉塞上面から底面に亘りその中心部縦方向に一体成形の仕切壁によって２つの液体収容室に区画形成されるとともに、容器本体の上部外側には、各液体収容室の液体出し入れ口が設けられ、更にこれら出し入れ口にはキャップが密栓され、各収容室内に種類の異なる液体が収容されて販売、購入されることを特徴としている。
【０００６】
一方、高齢者社会の到来と共に、飲み口に装着されているキャップ体を取り外すことが困難な高齢者も増加してきている。即ち、高齢者は、加齢と共に握力や捻回力が弱くなるので、キャップ体を容器本体から捻り取れない場合が多い。この問題点を解消するために、本願考案者は、「連通管付きペットボトル」（実用新案登録第３１１９０４４号）を提案した。
実用新案登録第３１１９０４４号は、高齢者のように、握力や捻回力が弱い小児、女性、入院患者、身障者等の社会的弱者が、ペットボトルのキャップ体を開栓することなく、ボトル内の飲料を容易に吸飲できる、連通管付きペットボトルを提供することを課題とし、その解決手段として、容器本体の上部に注出口を設け、該注出口に装着されるキャップ体と、胴部及び底部からなるペットボトルにおいて、前記底部内周縁の一端から、胴部外側面に沿って上方に延設する細径の連通管を、一体的に形成したことを、特徴としている。
本考案は、該実用新案登録第３１１９０４４号を改良したものである。
【特許文献１】特開２００３−２５２３３５号公報
【特許文献２】実用新案登録第３０４８２２８号公報
【特許文献３】実用新案登録第３１１９０４４号公報
【考案の開示】
【考案が解決しようとする課題】
【０００７】
本考案の課題は、単一の容器内に複数の飲料を充填し、好きな時間に、好きな飲料を選択して飲むことができ、かつ握力や捻回力が弱い高齢者、小児、女性、入院患者、身障者等が、キャップ体を開栓することなく、容器本体に形成された、吸飲管で容器内の飲料を容易に吸飲できる、吸飲管付き飲料物用容器を提供することにある。
【課題を解決するための手段】
【０００８】
本考案者は、上記の従来技術が有する各種の問題点に鑑み、鋭意検討を重ねて、本考案を完成したものである。
課題を解決するための手段は、本願、実用新案登録請求の範囲の各請求項に記載の考案であり、その具体的な解決手段は、以下の通りである。
【０００９】
○第１の考案（請求項１に記載の考案）
上記の課題を解決するための第１の考案（請求項１に記載の考案）は、
有底円筒状又は箱状の容器本体と、
前記容器本体内を分割し複数の飲料収納部を形成する仕切壁と、
前記容器本体の上部開口を閉塞する蓋部と、
前記各飲料収納部の底部外周縁部から、前記容器本体の外周面に沿って上方に向けて立設した円筒状の吸飲管と、
から構成されることを特徴としている。
【００１０】
○第２の考案（請求項２に記載の考案）
上記の課題を解決するための第２の考案（請求項２に記載の考案）は、
前記容器本体の内周壁と仕切壁の側端部及び仕切壁の頂部と蓋部底面は密着されていることを特徴としている。
【００１１】
○第３の考案（請求項３に記載の考案）
上記の課題を解決するための第３の考案（請求項３に記載の考案）は、
前記吸飲管の長さは、少なくとも容器本体の底部から蓋部を超える長さに形成されていることを特徴としている。
【００１２】
○第４の考案（請求項４に記載の考案）
上記の課題を解決するための第４の考案（請求項４に記載の考案）は、
前記吸飲管の上部には蛇腹部が形成されていることを特徴としている。
【００１３】
○第５の考案（請求項５に記載の考案）
上記の課題を解決するための第５の考案（請求項５に記載の考案）は、
前記吸飲管の先端吸飲部は、蛇腹部で蓋部の上面に折り曲げられ、紙又は合成樹脂製シールで剥離可能に被覆、止着されていることを特徴としている。
【００１４】
○第６の考案（請求項６に記載の考案）
上記の課題を解決するための第６の考案（請求項６に記載の考案）は、
前記各飲料収納部の外周面には、前記吸飲管を保持するための係止部が形成されていることを特徴としている。
【００１５】
○第７の考案（請求項７に記載の考案）
上記の課題を解決するための第７の考案（請求項７に記載の考案）は、
前記各飲料収納部の蓋部には、空気流通用の小孔が穿設され、該小孔は前記紙又は合成樹脂製シールで剥離可能に被覆されていることを特徴としている。
【００１６】
○第８の考案（請求項８に記載の考案）
上記の課題を解決するための第８の考案（請求項８に記載の考案）は、
前記容器本体内又は各飲料収納部に収納される飲料の容量が、１５０ｍｌ〜２５０ｍｌであることを特徴としている。
【００１７】
○第９の考案（請求項９に記載の考案）
上記の課題を解決するための第９の考案（請求項９に記載の考案）は、
前記容器本体の外周面及び蓋部の上面には、各飲料収納部内に充填されている飲料品名が表示されていることを特徴としている。
【考案の効果】
【００１８】
本考案に係る、吸飲管付き飲料物用容器は、上記のような特徴的構成要件から構成され、その特徴的構成要件に応じた、以下のような本願考案特有の効果を奏する。
また、上記のような特徴的構成要件から構成された、吸飲管付き飲料物用容器によれば、本願考案の課題を十分に解決することができる。
【００１９】
○第１の考案の効果
第１の考案によれば、
有底円筒状又は箱状の容器本体と、
前記容器本体内を分割し複数の飲料収納部を形成する仕切壁と、
前記容器本体の上部開口を閉塞する蓋部と、
前記各飲料収納部の底部外周縁部から、前記容器本体の外周面に沿って上方に向けて立設した円筒状の吸飲管と、
から構成される、という特徴的な構成であるから、
単一の容器内に複数の飲料を充填し、好きな時間に、好きな飲料を選択して飲むことができ、かつ握力や捻回力が弱い小児、女性、入院患者、身障者、高齢者等が、キャップ体を開栓することなく、容器本体に形成された、吸飲管で容器内の飲料を容易に吸飲できる、吸飲管付き飲料物用容器の提供という、本願考案の課題を解決することができた。
また、製作素材を、例えば合成樹脂材とすれば、蓋部を除く、容器本体、仕切壁及び吸飲管を一体的に製作することができ、かつ大量生産が可能であるから、製作コストを極めて安価とすることができる。
【００２０】
○第２の考案の効果
第２の考案によれば、
容器本体の内周壁と仕切壁の側端部及び仕切壁の頂部と蓋部底面は密着されている、という特徴的な構成であるから、
容器本体に何らかの衝撃があったり、揺動があっても、飲料収納部内の各飲料は、互いに混合することがないので、各飲料を美味しく賞味できる。
【００２１】
○第３の考案の効果
第３の考案によれば、
吸飲管の長さは、少なくとも容器本体の底部から蓋部を超える長さに形成されている、という特徴的な構成であるから、
飲料収納部内の各飲料の飲用は、一方の手で容器本体を把持し、他方の手で吸飲管を摘み出して飲むことができ、特に入院患者、身障者、高齢者等には至便である。また、吸飲管は容器本体の底部から延設されているので、各飲料収納部内の飲料を容器内に余すことなく飲むことができる。
【００２２】
○第４の考案の効果
第４の考案によれば、
吸飲管の上部には蛇腹部が形成されている、という特徴的な構成であるから、
吸飲先端部を蓋部の上面に止着することが容易であり、かつ、飲料の飲用に際し、吸飲先端部の角度を自由に設定することができ、飲み易い。
【００２３】
○第５の考案の効果
第５の考案によれば、
吸飲管の先端吸飲部は、蛇腹部で蓋部の上面に折り曲げられ、紙又は合成樹脂シールで剥離可能に被覆、止着されている、という特徴的な構成であるから、
吸飲先端部に塵埃が付着することが防止できるので、極めて衛生的である。
【００２４】
○第６の考案の効果
第６の考案によれば、
各飲料収納部の外周面には、前記吸飲管を保持するための係止部が形成されている、という特徴的な構成であるから、
飲料の飲用を中途で休止するとき、吸飲管を係止部に指先で押圧すれば、該吸飲管は、係止部に簡単に止着され、飲料収納部内の飲料が滴下することがないので、着衣等を汚したりすることを防止し、また再び残余の飲料を飲用するときは、吸飲管を指先で摘み出して飲むことができる。
【００２５】
○第７の考案の効果
第７の考案によれば、
各飲料収納部の蓋部には、空気流通用の小孔が穿設され、該小孔は紙又は合成樹脂製シールで剥離可能に被覆されている、という特徴的な構成であるから、
各飲料を飲むときは、紙又は樹脂シールを剥離すれば、空気が小孔から飲料収納部内に流通するので、飲料収納部内の飲料は、吸飲管により円滑に吸飲することができる。
【００２６】
○第８の考案の効果
第８の考案によれば、
容器本体内又は各飲料収納部に収納される飲料の容量が、１５０ｍｌ〜２５０ｍｌである、という特徴的な構成であるから、
該容器本体は、成人の掌中に入る大きさであるから、飲用に便利である。
【００２７】
○第９の考案の効果
第９の考案によれば、
容器本体の外周面及び蓋部の上面には、各飲料収納部内に充填されている飲料品名が表示されている、という特徴的な構成であるから、
自動販売機等による飲料を購入するときは、買い間違いを防ぎ、また飲用に際しても、蓋部の上面に表示された飲料を視認してから、所望の飲料を飲むことができる。
【考案を実施するための最良の形態】
【００２８】
以下、本考案に係る、吸飲管付き飲料物用容器に関する最良の実施形態について、図面を参照しながら説明する。
図１は、本考案の吸飲管付き飲料物用容器（以下、容器という）の一部切欠正面図、図２は、同平面図、図３は、図１における３−３線断面図、図４は、飲用状態の正面図、図５は、箱状容器の平面図である。
【００２９】
図１及び図２に示す容器Ｐ１は、合成樹脂材、例えばポリエチレン・テレフタレート（Ｐｏｌｙｅｔｈｙｌｅｎｅ  Ｔｅｒｅｐｈｔｈａｌａｔｅ  Ｒｅｓｉｎ）樹脂を素材とし、公知の成型法により製造されるものであり、有底円筒状の容器本体１と、該容器本体１の内部を２分割する仕切壁２と、容器本体１の上部開口１ａを閉塞する蓋部３と、仕切壁２によって形成された飲料収納部４及び５と、該飲料収納部の４及び５の各底部外周縁部４ａ及び５ａから、容器本体１の外周面１ｂに沿って上方に向けて立設した吸飲管６及び７とから構成されている。
図示するように、仕切壁２は、容器本体１の底部１ｃの中央から垂直状に一体的に立設され、その頂部２ａは、蓋部３の底面３ａに密着している。
蓋部３には、各飲料収納部４及び５に連通する直径約０．３ｍｍ〜０．５ｍｍの空気流通用の小孔３ｂ及び３ｃが穿設されている。吸飲管６及び７の上部には蛇腹部６ａ及び７ａが形成され、該吸飲管６及び７の長さは、少なくとも容器本体１の底部１ｃから蓋部３を超える長さに形成されている。
また吸飲管６及び７の先端吸飲部６ｂ及び７ｂは、蛇腹部６ａ及び７ａで蓋部３の上面３ｄに折り曲げられ、紙又は合成樹脂製シール８、９で剥離可能に被覆、止着されている。飲料収納部４及び５に充填される飲料は、容器本体１の上部開口１ａから所定の容量１５０ｍｌ〜２５０ｍｌがそれぞれ収納された後、蓋部が閉塞される。
またＮ１及びＮ２は、飲料収納部４及び５内に充填された飲料名の表示で容器本体１の外周面１ｂ及び蓋部３の上面３ｄに表示されている。
【００３０】
図３に示す１ｄは、吸飲管７を保持するための係止部であり、飲料収納部５の外周面１ａの内側に横断面形状が半円状に形成されている。
また吸飲管７は、不使用時又は飲用を休止しているときには、該係止部１ｄに嵌合、止着されるようになっている。
【００３１】
図４は、飲料収納部４及び５内に充填された飲料を、二人で飲用するときの状態を示し、飲用者の一人が容器本体１を片手で把持し、他方の手又は他の飲用者がシール８及び９を指先等で蓋部３から剥離した後、吸飲管６及び７の各蛇腹部６ａ、７ａをてこにし、各先端吸飲部６ｂ、７ｂを容器Ｐ１の外方に折り曲げながら、吸飲管６及び７を係止部１ｄから取り出し、飲料収納部４及び５内の異なった種類の飲料、例えば飲料収納部４の緑茶を一人が飲用し、他の一人は、飲料収納部５内のコーヒーを同時に飲用することができる。
また、例えば一人で食事しながら、飲料収納部４内の緑茶を飲むときは、飲料収納部５の吸飲管７は、図４中の仮想線（二点鎖線）で示すように、係止部１ｄに止着したまま食事をし、食事終了後、吸飲管７は同図の実線で示す状態にし、食後のコーヒーを楽しむことができる。
また、飲料の吸飲を休止するときも、吸飲管７は、仮想線（二点鎖線）で示すように、係止部１ｄに止着した状態とするのが好ましい。
【００３２】
図５は、箱状の容器Ｐ２で、容器本体１１、仕切壁１２、蓋部１３、飲料収納部１４、１５、吸飲管１６、１７及び紙又は合成樹脂製シール１８、１９からなり、その素材は、吸飲管１６、１７及びシール１８、１９を除き、紙製とすることもできる。
容器本体１１、仕切壁１２、蓋部１３、飲料収納部１４、１５等を紙製としたとき、仕切壁１２の側端部１２ａ及び１２ｂは、容器本体１１の内周壁１１ａに密着して固定され、かつ該仕切壁１２の底部及び頂部（図示しない）は、容器本体１１の底部及び蓋部１３の底面（図示しない）に密着し、飲料収納部１４に充填されたウーロン茶と、飲料収納部１５に充填された紅茶は互いに混合しないようになっている。１３ｂ、１３ｃは小孔で、Ｎ３は飲料収納部１４内の飲料名の表示で、Ｎ４は飲料収納部１５内の飲料名の表示である。なお飲料収納部１４内の飲料、例えばウーロン茶と飲料収納部１５内の飲料、例えば紅茶は、仕切壁１２によって、隔絶されている。
【００３３】
図１、図２及び図５に示すように、容器本体１、１１は、平面視、円形又は四角形をなしているが、上記形状に限定されないのはもちろんであり、楕円形、三角形、正五角形を含む各種多角形とすることができる。また、飲料収納部の数は仕切壁の形状により、３以上とすることも可能である。
さらに、各飲料収納部に収納される、紅茶、コーヒー、煎茶、ウーロン茶、牛乳、各種のジュース類、コーラ等の清涼飲料水等の組み合わせは、上記例示したものに限定されることなく、種々に変更される。
【図面の簡単な説明】
【００３４】
【図１】は、本考案に係る、吸飲管付き飲料物用容器の一部切欠正面図である。
【図２】は、同平面図である。
【図３】は、図１における３−３線断面図である。
【図４】は、飲用状態の正面図である。
【図５】は、箱状容器の平面図である。
【符号の説明】
【００３５】
Ｐ１、Ｐ２                                容器
１、１１                                  容器本体
２、１２                                  仕切壁
３、１３                                  蓋部
４、５、１４、１５                        飲料収納部
６、７、１６、１７                        吸飲管
８、９、１８、１９                        シール
１ａ                                      開口
１ｂ                                      外周面
１ｃ                                      底部
１ｄ                                      係止部
２ａ                                      頂部
３ａ                                      底面
３ｂ、３ｃ                                小孔
１１ａ                                    内周壁
１２ａ、１２ｂ                            側端部
１３ｂ、１３ｃ                            小孔
３ｄ                                      上面
４ａ、４ｂ                                底部外周縁部
６ａ、７ａ                                蛇腹部
６ｂ、７ｂ                                先端吸飲部
Ｎ１、Ｎ２、Ｎ３、Ｎ４                    表示
【図１】
0003140333.tif 000003
【図２】
0003140333.tif 000004
【図３】
0003140333.tif 000005
【図４】
0003140333.tif 000006
【図５】
0003140333.tif 000007